(57)【要約】【課題】「Ｒｅｄｉｒｅｃｔｉｏｎ手順」において「ピンポン現象」の発生を回避する。【解決手段】本発明に係る移動通信方法は、第１通信方式のネットワーク装置ＲＮＣが、受信したコネクション設定要求信号に移動局ＵＥの無線アクセス能力が含まれている場合、移動局ＵＥに対して、第２通信方式のセルにおいてコネクションを設定するように指示する指示信号を送信する工程と、移動局ＵＥが、受信した指示信号に応じて、第２通信方式のセルにおけるコネクションの設定を試みる工程とを有し、移動局ＵＥは、所定トリガを検出した場合であっても、所定期間内に所定回数以上、第２通信方式のセルにおけるコネクションの設定を試みている場合には、移動局ＵＥの無線アクセス能力を含まないコネクション設定要求信号を送信する。【選択図】図４
2010136103.tif 000002
【特許請求の範囲】
【請求項１】
移動局が、第１通信方式のセルにおいて待ち受けを行っている際に、所定トリガを検出した場合、該第１通信方式のネットワーク装置に対して、該移動局の無線アクセス能力を含むコネクション設定要求信号を送信する工程Ａと、
前記第１通信方式のネットワーク装置が、受信した前記コネクション設定要求信号に前記移動局の無線アクセス能力が含まれている場合、該移動局に対して、第２通信方式のセルにおいてコネクションの設定を試みるように指示する指示信号を送信する工程Ｂと、
前記移動局が、受信した前記指示信号に応じて、前記第２通信方式のセルにおいてコネクションを設定する工程Ｃとを有し、
前記工程Ａにおいて、前記移動局は、前記所定トリガを検出した場合であっても、所定期間内に所定回数以上、前記第２通信方式のセルにおけるコネクションの設定を試みている場合には、該移動局の無線アクセス能力を含まないコネクション設定要求信号を送信することを特徴とする移動通信方法。
【請求項２】
移動局が、第１通信方式のセルにおいて待ち受けを行っている際に、所定トリガを検出した場合、該第１通信方式のネットワーク装置に対して、該移動局の無線アクセス能力を含むコネクション設定要求信号を送信する工程Ａと、
前記第１通信方式のネットワーク装置が、受信した前記コネクション設定要求信号に前記移動局の無線アクセス能力が含まれている場合、該移動局に対して、第２通信方式のセルにおけるコネクションの設定を試みるように指示する指示信号を送信する工程Ｂと、
前記移動局が、受信した前記指示信号に応じて、前記第２通信方式のセルにおいてコネクションを設定する工程Ｃとを有し、
前記工程Ａにおいて、前記移動局は、前記所定トリガを検出した場合であっても、前記第２通信方式のセルにおけるアクセスが規制されている場合には、該移動局の無線アクセス能力を含まないコネクション設定要求信号を送信することを特徴とする移動通信方法。
【請求項３】
第１通信方式のセル及び第２通信方式のセルにおいて通信可能な移動局であって、
前記第１通信方式のセルにおいて待ち受けを行っている際に、所定トリガを検出した場合、該第１通信方式のネットワーク装置に対して、前記移動局の無線アクセス能力を含むコネクション設定要求信号を送信するように構成されている第１コネクション設定部と、
前記第１通信方式のネットワーク装置から送信された指示信号に応じて、前記第２通信方式のセルにおいてコネクションの設定を試みるように構成されている第２コネクション設定部とを具備し、
前記指示信号は、前記第１通信方式のネットワーク装置が、受信した前記コネクション設定要求信号に前記移動局の無線アクセス能力が含まれている場合、該移動局に対して送信する信号であり、前記第２通信方式のセルにおいてコネクションを設定するように指示する信号であり、
前記第１コネクション設定部は、前記所定トリガを検出した場合であっても、所定期間内に所定回数以上、前記第２通信方式のセルにおけるコネクションの設定を試みている場合には、該移動局の無線アクセス能力を含まないコネクション設定要求信号を送信するように構成されていることを特徴とする移動局。
【請求項４】
第１通信方式のセル及び第２通信方式のセルにおいて通信可能な移動局であって、
前記第１通信方式のセルにおいて待ち受けを行っている際に、所定トリガを検出した場合、該第１通信方式のネットワーク装置に対して、前記移動局の無線アクセス能力を含むコネクション設定要求信号を送信するように構成されている第１コネクション設定部と、
前記第１通信方式のネットワーク装置から送信された指示信号に応じて、前記第２通信方式のセルにおけるコネクションの設定を試みるように構成されている第２コネクション設定部とを具備し、
前記指示信号は、前記第１通信方式のネットワーク装置が、受信した前記コネクション設定要求信号に前記移動局の無線アクセス能力が含まれている場合、該移動局に対して送信する信号であり、前記第２通信方式のセルにおいてコネクションを設定するように指示する信号であり、
前記第１コネクション設定部は、前記所定トリガを検出した場合であっても、前記第２通信方式のセルにおけるアクセスが規制されている場合には、該移動局の無線アクセス能力を含まないコネクション設定要求信号を送信するように構成されていることを特徴とする移動局。
【請求項５】
第１通信方式のネットワーク装置であって、
前記第１通信方式のセルにおいて待ち受けを行っている移動局から受信したコネクション設定要求信号に該移動局の無線アクセス能力が含まれている場合、該移動局に対して、第２通信方式のセルにおいてコネクションを設定するように指示する指示信号を送信するように構成されている指示信号送信部を具備し、
前記指示信号送信部は、受信した前記コネクション設定要求信号に前記移動局の無線アクセス能力が含まれている場合であっても、所定期間内に所定回数以上、該移動局に対して前記指示信号を送信している場合には、該移動局に対して該指示信号を送信しないように構成されていることを特徴とするネットワーク装置。
【請求項６】
第１通信方式のネットワーク装置であって、
前記第１通信方式のセルにおいて待ち受けを行っている移動局から受信したコネクション設定要求信号に該移動局の無線アクセス能力が含まれている場合、該移動局に対して、第２通信方式のセルにおいてコネクションを設定するように指示する指示信号を送信するように構成されている指示信号送信部を具備し、
前記指示信号送信部は、受信した前記コネクション設定要求信号に前記移動局の無線アクセス能力が含まれている場合であっても、前記第２通信方式のセルにおけるアクセスが規制されている場合には、該移動局に対して該指示信号を送信しないように構成されていることを特徴とするネットワーク装置。
【発明の詳細な説明】
【技術分野】
【０００１】
本発明は、移動通信方法、移動局及びネットワーク装置に関する。
【背景技術】
【０００２】
ＷＣＤＭＡ方式の移動通信システムでは、移動局ＵＥが、特定のセルにおけるコネクションの設定を試みる場合、無線アクセスネットワークにおけるネットワーク装置（例えば、無線回線制御局ＲＮＣ等）に対して、「ＲＲＣ  Ｃｏｎｎｅｃｔｉｏｎ  Ｒｅｑｕｅｓｔ」を送信し、かかるネットワーク装置が、かかるＲＲＣコネクション用の無線リソースを確保して移動局ＵＥに通知することによって、かかるコネクションを設定するという「ＲＲＣ  Ｃｏｎｎｅｃｔｉｏｎ  Ｓｅｔｕｐ手順」が確立されている。
【０００３】
従来のＷＣＤＭＡ方式の移動通信システムでは、ＬＴＥ（Ｌｏｎｇ  Ｔｅｒｍ  Ｅｖｏｌｕｔｉｏｎ）方式やＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）方式やＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）方式といった複数の通信方式（無線アクセス技術、ＲＡＴ：Ｒａｄｉｏ  Ａｃｃｅｓｓ  Ｔｅｃｈｎｏｌｏｇｙ）に対応する能力を具備している移動局ＵＥが、第１通信方式（例えば、ＵＭＴＳ方式）のセルに対して「ＲＲＣ  Ｃｏｎｎｅｃｔｉｏｎ  Ｒｅｑｕｅｓｔ」を送信した場合に、第１通信方式のネットワーク装置（例えば、無線回線制御局ＲＮＣ等）が、移動局ＵＥに対して、「ＲＲＣ  Ｃｏｎｎｅｃｔｉｏｎ  Ｒｅｊｅｃｔ」を返信することによって、第２通信方式のセルにおいてＲＲＣコネクションを設定させるという「Ｒｅｄｉｒｅｃｔｉｏｎ手順」が確立されている。
【非特許文献１】３ＧＰＰ  ＴＳ２５.３３１
【発明の開示】
【発明が解決しようとする課題】
【０００４】
しかしながら、上述の「Ｒｅｄｉｒｅｃｔｉｏｎ手順」において、第２通信方式のセルにおいて輻輳状態が発生していたりした場合には、移動局ＵＥは、第２通信方式のセルにおいてＲＲＣコネクションを設定することができず、第１通信方式のネットワーク装置に対する「ＲＲＣ  Ｃｏｎｎｅｃｔｉｏｎ  Ｒｅｑｕｅｓｔ」の送信を繰り返す「ピンポン現象」が発生してしまう可能性があるという問題点があった。
【０００５】
そこで、本発明は、上述の課題に鑑みてなされたものであり、「Ｒｅｄｉｒｅｃｔｉｏｎ手順」において、上述の「ピンポン現象」の発生を回避することができる移動通信方法、移動局及びネットワーク装置を提供することを目的とする。
【課題を解決するための手段】
【０００６】
本発明の第１の特徴は、移動通信方法であって、移動局が、第１通信方式のセルにおいて待ち受けを行っている際に、所定トリガを検出した場合、該第１通信方式のネットワーク装置に対して、該移動局の無線アクセス能力を含むコネクション設定要求信号を送信する工程Ａと、前記第１通信方式のネットワーク装置が、受信した前記コネクション設定要求信号に前記移動局の無線アクセス能力が含まれている場合、該移動局に対して、第２通信方式のセルにおけるコネクションの設定を試みるように指示する指示信号を送信する工程Ｂと、前記移動局が、受信した前記指示信号に応じて、前記第２通信方式のセルにおいてコネクションを設定する工程Ｃとを有し、前記工程Ａにおいて、前記移動局は、前記所定トリガを検出した場合であっても、所定期間内に所定回数以上、前記第２通信方式のセルにおけるコネクションの設定を試みている場合には、該移動局の無線アクセス能力を含まないコネクション設定要求信号を送信することを要旨とする。
【０００７】
本発明の第２の特徴は、移動通信方法であって、移動局が、第１通信方式のセルにおいて待ち受けを行っている際に、所定トリガを検出した場合、該第１通信方式のネットワーク装置に対して、該移動局の無線アクセス能力を含むコネクション設定要求信号を送信する工程Ａと、前記第１通信方式のネットワーク装置が、受信した前記コネクション設定要求信号に前記移動局の無線アクセス能力が含まれている場合、該移動局に対して、第２通信方式のセルにおけるコネクションの設定を試みるように指示する指示信号を送信する工程Ｂと、前記移動局が、受信した前記指示信号に応じて、前記第２通信方式のセルにおいてコネクションを設定する工程Ｃとを有し、前記工程Ａにおいて、前記移動局は、前記所定トリガを検出した場合であっても、前記第２通信方式のセルにおけるアクセスが規制されている場合には、該移動局の無線アクセス能力を含まないコネクション設定要求信号を送信することを要旨とする。
【０００８】
本発明の第３の特徴は、第１通信方式のセル及び第２通信方式のセルにおいて通信可能な移動局であって、前記第１通信方式のセルにおいて待ち受けを行っている際に、所定トリガを検出した場合、該第１通信方式のネットワーク装置に対して、前記移動局の無線アクセス能力を含むコネクション設定要求信号を送信するように構成されている第１コネクション設定部と、前記第１通信方式のネットワーク装置から送信された指示信号に応じて、前記第２通信方式のセルにおけるコネクションの設定を試みるように構成されている第２コネクション設定部とを具備し、前記指示信号は、前記第１通信方式のネットワーク装置が、受信した前記コネクション設定要求信号に前記移動局の無線アクセス能力が含まれている場合、該移動局に対して送信する信号であり、前記第２通信方式のセルにおいてコネクションを設定するように指示する信号であり、前記第１コネクション設定部は、前記所定トリガを検出した場合であっても、所定期間内に所定回数以上、前記第２通信方式のセルにおけるコネクションの設定を試みている場合には、該移動局の無線アクセス能力を含まないコネクション設定要求信号を送信するように構成されていることを要旨とする。
【０００９】
本発明の第４の特徴は、第１通信方式のセル及び第２通信方式のセルにおいて通信可能な移動局であって、前記第１通信方式のセルにおいて待ち受けを行っている際に、所定トリガを検出した場合、該第１通信方式のネットワーク装置に対して、前記移動局の無線アクセス能力を含むコネクション設定要求信号を送信するように構成されている第１コネクション設定部と、前記第１通信方式のネットワーク装置から送信された指示信号に応じて、前記第２通信方式のセルにおけるコネクションの設定を試みるように構成されている第２コネクション設定部とを具備し、前記指示信号は、前記第１通信方式のネットワーク装置が、受信した前記コネクション設定要求信号に前記移動局の無線アクセス能力が含まれている場合、該移動局に対して送信する信号であり、前記第２通信方式のセルにおいてコネクションを設定するように指示する信号であり、前記第１コネクション設定部は、前記所定トリガを検出した場合であっても、前記第２通信方式のセルにおけるアクセスが規制されている場合には、該移動局の無線アクセス能力を含まないコネクション設定要求信号を送信するように構成されていることを要旨とする。
【００１０】
本発明の第５の特徴は、第１通信方式のネットワーク装置であって、前記第１通信方式のセルにおいて待ち受けを行っている移動局から受信したコネクション設定要求信号に該移動局の無線アクセス能力が含まれている場合、該移動局に対して、第２通信方式のセルにおいてコネクションを設定するように指示する指示信号を送信するように構成されている指示信号送信部を具備し、前記指示信号送信部は、受信した前記コネクション設定要求信号に前記移動局の無線アクセス能力が含まれている場合であっても、所定期間内に所定回数以上、該移動局に対して前記指示信号を送信している場合には、該移動局に対して該指示信号を送信しないように構成されていることを要旨とする。
【００１１】
本発明の第６の特徴は、第１通信方式のネットワーク装置であって、前記第１通信方式のセルにおいて待ち受けを行っている移動局から受信したコネクション設定要求信号に該移動局の無線アクセス能力が含まれている場合、該移動局に対して、第２通信方式のセルにおいてコネクションを設定するように指示する指示信号を送信するように構成されている指示信号送信部を具備し、前記指示信号送信部は、受信した前記コネクション設定要求信号に前記移動局の無線アクセス能力が含まれている場合であっても、前記第２通信方式のセルにおけるアクセスが規制されている場合には、該移動局に対して該指示信号を送信しないように構成されていることを要旨とする。
【発明の効果】
【００１２】
以上説明したように、本発明によれば、「Ｒｅｄｉｒｅｃｔｉｏｎ手順」において、上述の「ピンポン現象」の発生を回避することができる移動通信方法、移動局及びネットワーク装置を提供することができる。
【発明を実施するための最良の形態】
【００１３】
（本発明の第１の実施形態に係る移動通信システムの構成）
図１乃至図３を参照して、本発明の第１の実施形態に係る移動通信システムの構成について説明する。
【００１４】
図１に示すように、本実施形態に係る移動通信システムは、ＵＭＴＳ方式（第１通信方式）のセルによって形成されているカバーエリアと、ＬＴＥ方式（第２通信方式）のセルによって形成されているカバーエリアとを有する。
【００１５】
本実施形態に係る移動通信システムでは、カバーエリアの広さや提供可能な通信サービスの観点から、移動局ＵＥは、ＵＭＴＳ方式のセルにおいて優先的に待ち受けを行うように構成されている。
【００１６】
移動局ＵＥは、図２に示すように、待ち受け処理部１１と、判断情報記憶部１２と、ＲＲＣコネクション設定部１３とを具備している。
【００１７】
待ち受け処理部１１は、所定条件を満たすセルを選択し、選択したセルにおいて待ち受けを行うように構成されている。ここで、所定条件は、位置登録処理の際にネットワーク装置（例えば、交換局）によって通知されるように構成されていてもよい。
【００１８】
判断情報記憶部１２は、判断情報を記憶するように構成されている。ここで、判断情報は、ＲＲＣコネクション設定部１３が、「Ｉｎｔｅｒ-ＲＡＴ  ｃａｐａｂｉｌｉｔｉｅｓ（移動局ＵＥの無線アクセス能力）」を含む「ＲＲＣ  Ｃｏｎｎｅｃｔｉｏｎ  Ｒｅｑｕｅｓｔ（コネクション設定要求信号）」を送信するか否かについて判断する際に用いられる情報である。
【００１９】
例えば、判断情報記憶部１２は、判断情報として、所定期間内にＬＴＥ方式のセルにおけるＲＲＣコネクションの設定を試みた回数や、ＬＴＥ方式のセルにおけるアクセス規制情報等を記憶するように構成されていてもよい。
【００２０】
ここで、判断情報記憶部１２は、判断情報として、ＬＴＥ方式のセルにおけるアクセス規制情報を記憶している場合、かかるＬＴＥ方式のセルにおけるアクセス規制情報について第１所定期間経過後に削除するように構成されていてもよい。また、判断情報記憶部１２は、かかるＬＴＥ方式のセルにおけるアクセス規制情報の記憶時間を計時するタイマを具備していてもよい。
【００２１】
なお、かかる判断情報は、ＵＭＴＳ方式のセル内で、報知信号等の所定信号によって通知されていてもよい。このように構成することで、かかる判断情報を可変にすることができる。
【００２２】
ＲＲＣコネクション設定部１３は、ＵＭＴＳ方式のネットワーク装置である無線回線制御局ＲＮＣやＬＴＥ方式のネットワーク装置である無線基地局ｅＮＢとの間で、ＲＲＣコネクションを設定するように構成されている。
【００２３】
具体的には、待ち受け処理部１１が、ＵＭＴＳ方式のセルにおいて待ち受けを行っている場合に、ＲＲＣコネクション設定部１３は、無線回線制御局ＲＮＣに対して、「ＲＲＣ  Ｃｏｎｎｅｃｔｉｏｎ  Ｒｅｑｕｅｓｔ」を送信するによって、ＲＲＣコネクションの設定先を、ＵＭＴＳ方式のセルからＬＴＥ方式のセルに切り替えるように構成されている。
【００２４】
ここで、待ち受け処理部１１が、ＵＭＴＳ方式のセルにおいて待ち受けを行っている際に、ＲＲＣコネクション設定部１３は、所定トリガを検出した場合、無線回線制御局ＲＮＣに対して、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信するように構成されている。
【００２５】
ここで、所定トリガとしては、ＰＳ（パケット交換）サービスやＣＳ（回線交換）サービスの発信処理や着信処理の開始トリガ等が想定される。
【００２６】
具体的には、待ち受け処理部１１が、ＵＭＴＳ方式のセルにおいて待ち受けを行っている際に、ＲＲＣコネクション設定部１３は、所定トリガとして、ＰＳサービスの発信処理の開始トリガを検出した場合に、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信するように構成されている。
【００２７】
ただし、待ち受け処理部１１が、ＵＭＴＳ方式のセルにおいて待ち受けを行っている際に、ＲＲＣコネクション設定部１３は、所定トリガを検出した場合であっても、所定期間内に所定回数以上、ＬＴＥ方式のセルにおけるコネクションの設定を試みている場合には、「Ｉｎｔｅｒ-ＲＡＴ  ｃａｐａｂｉｌｉｔｉｅｓ」を含まない「ＲＲＣ  Ｃｏｎｎｅｃｔｉｏｎ  Ｒｅｑｕｅｓｔ」を送信するように構成されていてもよい。
【００２８】
また、待ち受け処理部１１が、ＵＭＴＳ方式のセルにおいて待ち受けを行っている際に、ＲＲＣコネクション設定部１３は、所定トリガを検出した場合であっても、ＬＴＥ方式のセルにおけるアクセスが規制されている場合には、「Ｉｎｔｅｒ-ＲＡＴ  ｃａｐａｂｉｌｉｔｉｅｓ」を含まない「ＲＲＣ  Ｃｏｎｎｅｃｔｉｏｎ  Ｒｅｑｕｅｓｔ」を送信するように構成されていてもよい。
【００２９】
すなわち、待ち受け処理部１１が、ＵＭＴＳ方式のセルにおいて待ち受けを行っている際に、ＲＲＣコネクション設定部１３は、所定トリガを検出した場合であっても、第２所定期間を経過して記憶されているＬＴＥ方式のセルにおけるアクセス規制情報が存在する場合には、「Ｉｎｔｅｒ-ＲＡＴ  ｃａｐａｂｉｌｉｔｉｅｓ」を含まない「ＲＲＣ  Ｃｏｎｎｅｃｔｉｏｎ  Ｒｅｑｕｅｓｔ」を送信するように構成されていてもよい。
【００３０】
かかる所定期間、所定回数、第１所定時間及び第２所定時間についての情報は、ＵＭＴＳ方式のセル内で、報知信号等の所定信号によって通知されていてもよい。このように構成することで、かかる情報を可変にすることができる。
【００３１】
なお、待ち受け処理部１１が、ＵＭＴＳ方式のセルにおいて待ち受けを行っている際に、ＲＲＣコネクション設定部１３は、所定トリガを検出した場合であっても、所定期間内に所定回数以上、ＬＴＥ方式のセルにおけるコネクションの設定を試みて失敗した場合には、「Ｉｎｔｅｒ-ＲＡＴ  ｃａｐａｂｉｌｉｔｉｅｓ」を含まない「ＲＲＣ  Ｃｏｎｎｅｃｔｉｏｎ  Ｒｅｑｕｅｓｔ」を送信するように構成されていてもよい。
【００３２】
図３に示すように、無線回線制御局ＲＮＣは、ＲＲＣコネクション設定部２１と、判断情報記憶部２２と、判定部２３とを具備している。
【００３３】
ＲＲＣコネクション設定部２１は、移動局ＵＥから送信された「ＲＲＣ  Ｃｏｎｎｅｃｔｉｏｎ  Ｒｅｑｕｅｓｔ」に応じて、移動局ＵＥとの間で、ＲＲＣコネクションを設定するように構成されている。
【００３４】
判断情報記憶部２２は、判断情報を記憶するように構成されている。ここで、判断情報は、ＲＲＣコネクション設定部２１が、移動局ＵＥに対して、ＬＴＥ方式（第２通信方式）のセルにおいてＲＲＣコネクションを設定するように指示する「ＲＲＣ  Ｃｏｎｎｅｃｔｉｏｎ  Ｒｅｊｅｃｔ（指示信号）」を送信するか否かについて判断する際に用いられる情報である。
【００３５】
例えば、判断情報記憶部１２は、判断情報として、所定期間内に移動局ＵＥに対して「ＲＲＣ  Ｃｏｎｎｅｃｔｉｏｎ  Ｒｅｊｅｃｔ」を送信した回数や、ＬＴＥ方式のセルにおけるアクセス規制情報等を記憶するように構成されていてもよい。
【００３６】
かかる判断情報は、ＵＭＴＳ方式のセルで待ち受けを行っている移動局ＵＥに対して通知されるように構成されていてもよい。
【００３７】
判定部２３は、ＵＭＴＳ方式のセルにおいて待ち受けを行っている移動局ＵＥから受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれているか否かについて判定するように構成されている。
【００３８】
そして、判定部２３は、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれていると判定した場合に、ＲＲＣコネクション設定部２１に対して、「ＲＲＣ  Ｃｏｎｎｅｃｔｉｏｎ  Ｒｅｊｅｃｔ」を送信するように指示する。
【００３９】
ここで、ＲＲＣコネクション設定部２１は、移動局ＵＥから送信された「ＲＲＣ  Ｃｏｎｎｅｃｔｉｏｎ  Ｒｅｑｕｅｓｔ」を受信した場合であっても、判定部２３から上述の指示があった場合には、すなわち、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれていると判定された場合には、移動局ＵＥに対して、「ＲＲＣ  Ｃｏｎｎｅｃｔｉｏｎ  Ｒｅｊｅｃｔ」を送信することによって、ＬＴＥ方式のセルにおいてＲＲＣコネクションを設定するように、すなわち、「Ｒｅｄｉｒｅｃｔｉｏｎ手順」を行うように指示する。
【００４０】
ただし、ＲＲＣコネクション設定部２１は、移動局ＵＥから受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれていると判定された場合であっても、判断情報記憶部１２に記憶されている判断情報を参照して、所定期間内に所定回数以上、移動局ＵＥに対して「ＲＲＣ  Ｃｏｎｎｅｃｔｉｏｎ  Ｒｅｊｅｃｔ」を送信していると判断された場合には、移動局に対して「ＲＲＣ  Ｃｏｎｎｅｃｔｉｏｎ  Ｒｅｊｅｃｔ」を送信することなく、移動局ＵＥとの間で、ＲＲＣコネクションを設定するように構成されていてもよい。
【００４１】
また、ＲＲＣコネクション設定部２１は、移動局ＵＥから受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれていると判定された場合であっても、判断情報記憶部１２に記憶されている判断情報を参照して、ＬＴＥ方式のセルにおけるアクセスが規制されていると判断された場合には、移動局に対して「ＲＲＣ  Ｃｏｎｎｅｃｔｉｏｎ  Ｒｅｊｅｃｔ」を送信することなく、移動局ＵＥとの間で、ＲＲＣコネクションを設定するように構成されていてもよい。
【００４２】
なお、移動局ＵＥのみが、判断情報記憶部１２を具備していてもよいし、移動局ＵＥ及び無線回線制御局ＲＮＣの双方が、判断情報記憶部１２、２２を具備していてもよい。
【００４３】
（本発明の第１の実施形態に係る移動通信システムの動作）
図４を参照して、本発明の第１の実施形態に係る移動通信システムの動作について説明する。
【００４４】
図４に示すように、移動局ＵＥは、ステップＳ１０００において、ＵＭＴＳ方式のセルにおいて待ち受けを行っている場合に、ステップＳ１００１において、無線回線制御局ＲＮＣから、移動局ＵＥ宛てのＰＳサービス用ページング信号を受信した場合には、ステップＳ１００２において、無線回線制御局ＲＮＣに対して、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」又は「Ｉｎｔｅｒ-ＲＡＴ  ｃａｐａｂｉｌｉｔｉｅｓ」を含まない「ＲＲＣ  Ｃｏｎｎｅｃｔｉｏｎ  Ｒｅｑｕｅｓｔ」のどちらを送信するべきかについて判断する。
【００４５】
具体的には、移動局ＵＥは、所定期間内に所定回数以上、ＬＴＥ方式のセルにおけるコネクションの設定を試みているか否かに基づいて、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」又は「Ｉｎｔｅｒ-ＲＡＴ  ｃａｐａｂｉｌｉｔｉｅｓ」を含まない「ＲＲＣ  Ｃｏｎｎｅｃｔｉｏｎ  Ｒｅｑｕｅｓｔ」のどちらを送信するべきかについて判断する。
【００４６】
図４の例では、ステップＳ１００２において、移動局ＵＥは、所定期間内に所定回数以上、ＬＴＥ方式のセルにおけるコネクションの設定を試みていないと判断し、無線回線制御局ＲＮＣに対して「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信する。
【００４７】
ステップＳ１００３において、無線回線制御局ＲＮＣが、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれているか否かに基づいて、及び、上述の判断情報に基づいて、ＲＲＣコネクションを設定するべきか、或いは、上述の「ＲＲＣ  Ｃｏｎｎｅｃｔｉｏｎ  Ｒｅｊｅｃｔ」を送信すべきかについて判定する。
【００４８】
図４の例では、無線回線制御局ＲＮＣは、ステップＳ１００３において、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれており、かつ、所定期間内に所定回数以上、移動局ＵＥに対して「ＲＲＣ  Ｃｏｎｎｅｃｔｉｏｎ  Ｒｅｊｅｃｔ」を送信してないと判断し、ステップＳ１００４において、移動局ＵＥに対して、「ＲＲＣ  Ｃｏｎｎｅｃｔｉｏｎ  Ｒｅｊｅｃｔ」を送信する。
【００４９】
ステップＳ１００５において、移動局ＵＥは、無線基地局ｅＮＢに対して、「ＲＲＣ  Ｃｏｎｎｅｃｔｉｏｎ  Ｒｅｑｕｅｓｔ」を送信することによって、ＬＴＥ方式のセルにおけるＲＲＣコネクションの設定を試みる。
【００５０】
ここで、ステップＳ１００６において、ＬＴＥ方式のセルにおけるＲＲＣコネクションの設定に失敗したため、ステップＳ１００７において、移動局ＵＥは、再度、無線回線制御局ＲＮＣに対して、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」又は「Ｉｎｔｅｒ-ＲＡＴ  ｃａｐａｂｉｌｉｔｉｅｓ」を含まない「ＲＲＣ  Ｃｏｎｎｅｃｔｉｏｎ  Ｒｅｑｕｅｓｔ」のどちらを送信するべきかについて判断する。
【００５１】
図４の例では、移動局ＵＥは、ステップＳ１００７において、所定期間内に所定回数以上、ＬＴＥ方式のセルにおけるコネクションの設定を試みていると判断し、ステップＳ１００８において、無線回線制御局ＲＮＣに対して「Ｉｎｔｅｒ-ＲＡＴ  ｃａｐａｂｉｌｉｔｉｅｓ」を含まない「ＲＲＣ  Ｃｏｎｎｅｃｔｉｏｎ  Ｒｅｑｕｅｓｔ」を送信する。
【００５２】
ステップＳ１００９において、無線回線制御局ＲＮＣが、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれているか否かに基づいて、及び、上述の判断情報に基づいて、ＲＲＣコネクションを設定するべきか、或いは、上述の「ＲＲＣ  Ｃｏｎｎｅｃｔｉｏｎ  Ｒｅｊｅｃｔ」を送信すべきかについて判定する。
【００５３】
図４の例では、無線回線制御局ＲＮＣは、ステップＳ１００９において、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれていないと判断し、ステップＳ１０１０において、移動局ＵＥに対して、「ＲＲＣ  Ｃｏｎｎｅｃｔｉｏｎ  Ｓｅｔｕｐ」を送信する。
【００５４】
ステップＳ１０１１において、移動局ＵＥが、無線回線制御局ＲＮＣに対して、「ＲＲＣ  Ｃｏｎｎｅｃｔｉｏｎ  Ｓｅｔｕｐ  Ｃｏｍｐｌｅｔｅ」を送信する。
【００５５】
この結果、ステップＳ１０１２において、移動局ＵＥは、ＵＭＴＳ方式のセルにおけるコネクションの設定を完了し、Ｃｏｎｎｅｃｔｅｄ状態に遷移する。
【００５６】
（本発明の第１の実施形態に係る移動通信システムの作用・効果）
本発明の第１の実施形態に係る移動通信システムによれば、ＵＭＴＳセルにおいて待ち受けを行っている移動局ＵＥが、所定期間内に所定回数以上、ＬＴＥ方式のセルにおけるコネクションの設定を試みていると判断した場合には、無線回線制御局ＲＮＣに対して、「Ｉｎｔｅｒ-ＲＡＴ  ｃａｐａｂｉｌｉｔｉｅｓ」を含まない「ＲＲＣ  Ｃｏｎｎｅｃｔｉｏｎ  Ｒｅｑｕｅｓｔ」を送信し、無線回線制御局ＲＮＣが、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれている場合には、「Ｒｅｄｉｒｅｃｔｉｏｎ手順」を行うことなく、移動局ＵＥとの間で、ＲＲＣコネクションを設定するように構成されているため、「Ｒｅｄｉｒｅｃｔｉｏｎ手順」における「ピンポン現象」の発生を回避することができる。
【００５７】
また、本発明の第１の実施形態に係る移動通信システムによれば、ＵＭＴＳセルにおいて待ち受けを行っている移動局ＵＥが、ＬＴＥ方式のセルにおけるアクセスが規制されていると判断した場合には、無線回線制御局ＲＮＣに対して、「Ｉｎｔｅｒ-ＲＡＴ  ｃａｐａｂｉｌｉｔｉｅｓ」を含まない「ＲＲＣ  Ｃｏｎｎｅｃｔｉｏｎ  Ｒｅｑｕｅｓｔ」を送信し、無線回線制御局ＲＮＣが、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれている場合には、「Ｒｅｄｉｒｅｃｔｉｏｎ手順」を行うことなく、移動局ＵＥとの間で、ＲＲＣコネクションを設定するように構成されているため、「Ｒｅｄｉｒｅｃｔｉｏｎ手順」における「ピンポン現象」の発生を回避することができる。
【００５８】
また、本発明の第１の実施形態に係る移動通信システムによれば、無線回線制御局ＲＮＣが、ＵＭＴＳセルにおいて待ち受けを行っている移動局ＵＥから受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれている場合であっても、所定期間内に所定回数以上、移動局ＵＥに対して「ＲＲＣ  Ｃｏｎｎｅｃｔｉｏｎ  Ｒｅｊｅｃｔ」を送信していると判断した場合には、「Ｒｅｄｉｒｅｃｔｉｏｎ手順」を行うことなく、移動局ＵＥとの間で、ＲＲＣコネクションを設定するように構成されているため、「Ｒｅｄｉｒｅｃｔｉｏｎ手順」における「ピンポン現象」の発生を回避することができる。
【００５９】
さらに、本発明の第１の実施形態に係る移動通信システムによれば、無線回線制御局ＲＮＣが、ＵＭＴＳセルにおいて待ち受けを行っている移動局ＵＥから受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれている場合であっても、ＬＴＥ方式のセルにおけるアクセスが規制されていると判断した場合には、「Ｒｅｄｉｒｅｃｔｉｏｎ手順」を行うことなく、移動局ＵＥとの間で、ＲＲＣコネクションを設定するように構成されているため、「Ｒｅｄｉｒｅｃｔｉｏｎ手順」における「ピンポン現象」の発生を回避することができる。
【００６０】
以上に述べた本実施形態の特徴は、以下のように表現されていてもよい。
【００６１】
本実施形態の第１の特徴は、移動通信方法であって、移動局ＵＥが、ＵＭＴＳ方式（第１通信方式）のセルにおいて待ち受けを行っている際に、所定トリガを検出した場合、無線回線制御局ＲＮＣ（ＵＭＴＳ方式のネットワーク装置）に対して、「Ｉｎｔｅｒ-ＲＡＴ  ｃａｐａｂｉｌｉｔｉｅｓ（移動局ＵＥの無線アクセス能力）」を含む「ＲＲＣ  Ｃｏｎｎｅｃｔｉｏｎ  Ｒｅｑｕｅｓｔ（コネクション設定要求信号）」を送信する工程Ａ（ステップＳ１００２）と、無線回線制御局ＲＮＣが、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれている場合、移動局ＵＥに対して、ＬＴＥ方式（第２通信方式）のセルにおいてＲＲＣコネクションを設定するように指示する「ＲＲＣ  Ｃｏｎｎｅｃｔｉｏｎ  Ｒｅｊｅｃｔ（指示信号）」を送信する工程Ｂ（ステップＳ１００３、Ｓ１００４）と、移動局ＵＥが、受信した「ＲＲＣ  Ｃｏｎｎｅｃｔｉｏｎ  Ｒｅｊｅｃｔ」に応じて、ＬＴＥ方式のセルにおけるＲＲＣコネクションの設定を試みる工程Ｃ（ステップＳ１００５、Ｓ１００６）とを有し、工程Ａ（ステップＳ１００２）において、移動局ＵＥは、所定トリガを検出した場合であっても、所定期間内に所定回数以上、ＬＴＥ方式のセルにおけるコネクションの設定を試みている場合には、「Ｉｎｔｅｒ-ＲＡＴ  ｃａｐａｂｉｌｉｔｉｅｓ」を含まない「ＲＲＣ  Ｃｏｎｎｅｃｔｉｏｎ  Ｒｅｑｕｅｓｔ」を送信することを要旨とする。
【００６２】
本実施形態の第２の特徴は、移動通信方法であって、移動局ＵＥが、ＵＭＴＳ方式のセルにおいて待ち受けを行っている際に、所定トリガを検出した場合、無線回線制御局ＲＮＣに対して、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信する工程Ａ（ステップＳ１００２）と、無線回線制御局ＲＮＣが、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれている場合、移動局ＵＥに対して、ＬＴＥ方式（第２通信方式）のセルにおいてＲＲＣコネクションを設定するように指示する「ＲＲＣ  Ｃｏｎｎｅｃｔｉｏｎ  Ｒｅｊｅｃｔ（指示信号）」を送信する工程Ｂ（ステップＳ１００３、Ｓ１００４）と、移動局ＵＥが、受信した「ＲＲＣ  Ｃｏｎｎｅｃｔｉｏｎ  Ｒｅｊｅｃｔ」に応じて、ＬＴＥ方式のセルにおけるＲＲＣコネクションの設定を試みる工程Ｃ（ステップＳ１００５、Ｓ１００６）とを有し、工程Ａ（ステップＳ１００２）において、移動局ＵＥは、所定トリガを検出した場合であっても、ＬＴＥ方式のセルにおけるアクセスが規制されている場合には、「Ｉｎｔｅｒ-ＲＡＴ  ｃａｐａｂｉｌｉｔｉｅｓ」を含まない「ＲＲＣ  Ｃｏｎｎｅｃｔｉｏｎ  Ｒｅｑｕｅｓｔ」を送信することを要旨とする。
【００６３】
本実施形態の第３の特徴は、ＵＭＴＳ方式のセル及びＬＴＥ方式のセルにおいて通信可能な移動局ＵＥであって、ＵＭＴＳ方式のセルにおいて待ち受けを行っている際に、所定トリガを検出した場合、無線回線制御局ＲＮＣに対して、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信するように構成されており、無線回線制御局ＲＮＣから送信された「ＲＲＣ  Ｃｏｎｎｅｃｔｉｏｎ  Ｒｅｊｅｃｔ」に応じて、ＬＴＥ方式のセルにおけるＲＲＣコネクションの設定を試みるように構成されているＲＲＣコネクション設定部１３を具備し、「ＲＲＣ  Ｃｏｎｎｅｃｔｉｏｎ  Ｒｅｊｅｃｔ」は、無線回線制御局ＲＮＣが、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれている場合、移動局ＵＥに対して送信する信号であり、ＬＴＥ方式のセルにおいてＲＲＣコネクションを設定するように指示する信号であり、ＲＲＣコネクション設定部１３は、所定トリガを検出した場合であっても、所定期間内に所定回数以上、ＬＴＥ方式のセルにおけるＲＲＣコネクションの設定を試みている場合には、「Ｉｎｔｅｒ-ＲＡＴ  ｃａｐａｂｉｌｉｔｉｅｓ」を含まない「ＲＲＣ  Ｃｏｎｎｅｃｔｉｏｎ  Ｒｅｑｕｅｓｔ」を送信するように構成されていることを要旨とする。
【００６４】
本実施形態の第４の特徴は、ＵＭＴＳ方式のセル及びＬＴＥ方式のセルにおいて通信可能な移動局ＵＥであって、ＵＭＴＳ方式のセルにおいて待ち受けを行っている際に、所定トリガを検出した場合、無線回線制御局ＲＮＣに対して、「Ｉｎｔｅｒ-ＲＡＴ  ｃａｐａｂｉｌｉｔｉｅｓ」を含む「ＲＲＣ  Ｃｏｎｎｅｃｔｉｏｎ  Ｒｅｑｕｅｓｔ」を送信するように構成されており、無線回線制御局ＲＮＣから送信された「ＲＲＣ  Ｃｏｎｎｅｃｔｉｏｎ  Ｒｅｊｅｃｔ」に応じて、ＬＴＥ方式のセルにおけるＲＲＣコネクションの設定を試みるように構成されているＲＲＣコネクション設定部１３を具備し、「ＲＲＣ  Ｃｏｎｎｅｃｔｉｏｎ  Ｒｅｊｅｃｔ」は、無線回線制御局ＲＮＣが、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれている場合、移動局ＵＥに対して送信する信号であり、ＬＴＥ方式のセルにおいてＲＲＣコネクションを設定するように指示する信号であり、ＲＲＣコネクション設定部１３は、所定トリガを検出した場合であっても、ＬＴＥ方式のセルにおけるアクセスが規制されている場合には、「Ｉｎｔｅｒ-ＲＡＴ  ｃａｐａｂｉｌｉｔｉｅｓ」を含まない「ＲＲＣ  Ｃｏｎｎｅｃｔｉｏｎ  Ｒｅｑｕｅｓｔ」を送信するように構成されていることを要旨とする。
【００６５】
本実施形態の第５の特徴は、無線回線制御局ＲＮＣであって、ＵＭＴＳ方式のセルにおいて待ち受けを行っている移動局ＵＥから受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれている場合、移動局ＵＥに対して、ＬＴＥ方式のセルにおいてＲＲＣコネクションを設定するように指示する「ＲＲＣ  Ｃｏｎｎｅｃｔｉｏｎ  Ｒｅｊｅｃｔ」を送信するように構成されているＲＲＣコネクション設定部（指示信号送信部）２１を具備し、ＲＲＣコネクション設定部２１は、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれている場合であっても、所定期間内に所定回数以上、移動局ＵＥに対して「ＲＲＣ  Ｃｏｎｎｅｃｔｉｏｎ  Ｒｅｊｅｃｔ」を送信している場合には、移動局に対して「ＲＲＣ  Ｃｏｎｎｅｃｔｉｏｎ  Ｒｅｊｅｃｔ」を送信しないように構成されていることを要旨とする。
【００６６】
本実施形態の第６の特徴は、無線回線制御局ＲＮＣであって、ＵＭＴＳ方式のセルにおいて待ち受けを行っている移動局ＵＥから受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれている場合、移動局ＵＥに対して、ＬＴＥ方式のセルにおいてＲＲＣコネクションを設定するように指示する「ＲＲＣ  Ｃｏｎｎｅｃｔｉｏｎ  Ｒｅｊｅｃｔ」を送信するように構成されているＲＲＣコネクション設定部（指示信号送信部）２１を具備し、ＲＲＣコネクション設定部２１は、受信した「ＲＲＣ  Ｃｏｎｎｅｃｔｉｏｎ  Ｒｅｑｕｅｓｔ」に「Ｉｎｔｅｒ-ＲＡＴ  ｃａｐａｂｉｌｉｔｉｅｓ」が含まれている場合であっても、ＬＴＥ方式のセルにおけるアクセスが規制されている場合には、移動局に対して「ＲＲＣ  Ｃｏｎｎｅｃｔｉｏｎ  Ｒｅｊｅｃｔ」を送信しないように構成されていることを要旨とする。
【００６７】
なお、上述の移動局ＵＥや無線基地局ｅＮＢや無線回線制御局ＲＮＣの動作は、ハードウェアによって実施されてもよいし、プロセッサによって実行されるソフトウェアモジュールによって実施されてもよいし、両者の組み合わせによって実施されてもよい。
【００６８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢや無線回線制御局ＲＮＣ内に設けられていてもよい。また、かかる記憶媒体及びプロセッサは、ディスクリートコンポーネントとして移動局ＵＥや無線基地局ｅＮＢや無線回線制御局ＲＮＣ内に設けられていてもよい。
【００７０】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図面の簡単な説明】
【００７１】
【図１】本発明の第１の実施形態に係る移動通信システムの全体構成図である。
【図２】本発明の第１の実施形態に係る移動局の機能ブロック図である。
【図３】本発明の第１の実施形態に係る無線回線制御局の機能ブロック図である。
【図４】本発明の第１の実施形態に係る移動通信システムの動作を示すシーケンス図である。
【符号の説明】
【００７２】
ＵＥ…移動局
ＲＮＣ…無線回線制御局
ｅＮＢ…無線基地局
１１…待ち受け処理部
１２、２２…判断情報記憶部
１３、２１…ＲＲＣコネクション設定部
２３…判定部
【図１】
2010136103.tif 000003
【図２】
2010136103.tif 000004
【図３】
2010136103.tif 000005
【図４】
2010136103.tif 000006